(57)【要約】【課題】  足の横アーチを好適に形成する。【解決手段】  断熱シート１１と緩衝シート１２からなるベースシートと、ベースシートの裏面における踵対応部分に接着されたほぼ半円形の踵シート２０と、ベースシートの表面における、第１中足骨ｆ１前部と第５中足骨ｆ５前部とを結ぶ直線に交差するとともに、少なくとも第１中足骨ｆ１と第２中足骨ｆ２と第３中足骨ｆに掛かるように接着されて足骨の横アーチを矯正する中足骨パッド３０と、ベースシートの表面における踵対応部分に接着されたほぼ馬蹄形の踵骨パッド４０と、ベースシートとほぼ同形に形成されて中足骨パッド３０及び踵骨パッド４０を覆うようにベースシートの表面に接着された上敷きシート５０とを備え、踵骨パッド４０によって足（骨格）を位置決めし、中足骨パッド３０によって横アーチを好適に形成する。【選択図】  図７
2010240127.tif 000002
【特許請求の範囲】
【請求項１】
シート状部材を複数枚、積層して構成した足袋用の中敷きにおいて、
足形に合ったベースシートと、
前記ベースシートの裏面における踵対応部分に接着されたほぼ半円形の踵シートと、
前記ベースシートの表面における、第１中足骨骨頭と第５中足骨骨頭とを結ぶ直線に交差するとともに、少なくとも第１中足骨と第２中足骨と第３中足骨に掛かるように接着されて足骨の横アーチを矯正する中足骨パッドと、
前記ベースシートの表面における踵対応部分に接着されたほぼ馬蹄形の踵骨パッドと、
前記ベースシートとほぼ同形に形成されるとともに、前記中足骨パッド及び前記踵骨パッドを覆うように前記ベースシートの表面に接着された上敷きシートと、を備える、
ことを特徴とする足袋用の中敷き。
【請求項２】
前記中足骨パッドは、ほぼ円形、又は前後方向に長いほぼ楕円形、又は後端側が細くなるほぼ涙形に形成されている、
ことを特徴とする請求項１に記載の足袋用の中敷き。
【請求項３】
前記中足骨パッドは、その領域内に前記第２中足骨の少なくとも前半部分を含む、
ことを特徴とする請求項１又は２に記載の足袋用の中敷き。
【請求項４】
前記中足骨パッドは、左右方向の中心を通って前後方向を向く中心線が、前記第２中足骨をその長手方向に貫通する、
ことを特徴とする請求項１ないし３のいずれか１項に記載の足袋用の中敷き。
【請求項５】
前記中足骨パッドは、左右方向の幅が最も広い最幅広部分において、前記第１中足骨と前記第２中足骨と前記第３中足骨とを含む、
ことを特徴とする請求項１ないし４のいずれか１項に記載の足袋用の中敷き。
【請求項６】
前記中足骨パッドは、その最先端が第２基節骨に掛かる、
ことを特徴とする請求項１ないし５のいずれか１項に記載の足袋用の中敷き。
【請求項７】
前記中足骨パッドは、その最後端が中間楔状骨に掛かる、
ことを特徴とする請求項１ないし６のいずれか１項に記載の足袋用の中敷き。
【請求項８】
前記踵骨パッドは、その内側の先端と外側の先端とを結ぶ直線が、舟状骨及び立方骨に掛かる、
ことを特徴とする請求項１ないし７のいずれか１項に記載の足袋用の中敷き。
【請求項９】
前記踵骨パッドは、前記内側の先端と外側の先端とを結ぶ直線が、前記踵シートの前端と同じ又は前記踵シートの前端よりも後側に位置する、
ことを特徴とする請求項１ないし８のいずれか１項に記載の足袋用の中敷き。
【請求項１０】
前記ベースシートと、前記上敷きシートとの間に、前記ベースシートの内側端縁における前後方向のほぼ中央に、前記内側端縁に沿って延びる内側パッドが配置されている、
ことを特徴とする請求項１ないし９のいずれか１項に記載の足袋用の中敷き。
【請求項１１】
前記ベースシートと、前記上敷きシートとの間に、前記ベースシートの外側端縁における前後方向のほぼ中央に、前記外側端縁に沿って延びる外側パッドが配置されている、
ことを特徴とする請求項１ないし９のいずれか１項に記載の足袋用の中敷き。
【請求項１２】
前記ベースシートと、前記中足骨パッド及び前記踵骨パッドとの間に、前記ベースシートと同形の、重量を増加させるための加重シートが積層される、
ことを特徴とする請求項１ないし１１のいずれか１項に記載の足袋用の中敷き。
【請求項１３】
前記ベースシートは、上側に位置する断熱シートと、前記断熱シートの裏面に接着された緩衝シートとが積層されて構成されている、
ことを特徴とする請求項１ないし１２のいずれか１項に記載の足袋用の中敷き。
【請求項１４】
前記上敷きシートが、抗菌シートによって構成されている、
ことを特徴とする請求項１ないし１３のいずれか１項に記載の足袋用の中敷き。
【請求項１５】
足袋本体と、足袋用の中敷きとが一体に形成された足袋において、
前記足袋用の中敷きが、請求項１ないし１４のいずれか１項に記載の足袋用の中敷きであり、
前記足袋本体は、挿入された足における、中足骨前部近傍を左右方向から締め付けるとともに、足首を締め付ける、
ことを特徴とする足袋。
【発明の詳細な説明】
【技術分野】
【０００１】
本発明は、足の横アーチを矯正するための足袋用の中敷き及び足袋に関する。
【背景技術】
【０００２】
図９に人の足の裏面を示す。足の裏面を床等に接触させると、踵対応部Ｐ１、親指の付け根Ｐ２、小指の付け根Ｐ３の３点で接触し、付け根Ｐ２，Ｐ３の間に横アーチＡ１が形成され、前後方向のほぼ中央に横アーチＡ２が形成され、さらに、足の内側及び外側の前後方向に縦アーチＢ１，Ｂ２が形成される。
【０００３】
上述の横アーチＡ１，Ａ２、縦アーチＢ１，Ｂ２は、歩行時等に衝撃を和らげる働きがある。
【０００４】
しかし、加齢によって骨間靱帯が弱くなったり、外反母趾になったりすると、上述の各アーチが好適に形成されなくなり、足が疲れやすくなったり、膝に負担が掛かったりする。
【０００５】
そこで、上述のアーチを矯正するための中敷きが種々提案されている（例えば、特許文献１〜５参照）。
【０００６】
これらはいずれも中敷きにおける、アーチに対応する部分にシート状のパッドを設けて、足の裏を持ち上げ手、アーチを形成するものである。
【特許文献１】特開２００２−１５９３０２号公報
【特許文献２】特開２００３−１９９６０３号公報
【特許文献３】特開２００５−１３６８２号公報
【特許文献４】特開平９−１４０４０５号公報
【特許文献５】特開２００８−２９６１１号公報
【発明の開示】
【発明が解決しようとする課題】
【０００７】
しかしながら、上述の特許文献１〜５は、中敷きを装着する対象が主に靴であるため、中敷きに対してパッドの位置を高い精度で位置決めしたとしても、中敷きを靴に敷いて、靴に足を入れると、踵と靴との間には、一般に指１本程度はいる隙間が形成されたり、足先に隙間が形成されたりするため、足に対するパッドの位置は、必ずしも正確なものとはならない。このため、想定していたアーチが良好に形成されないという問題があった。
【０００８】
なお、靴等の履き物とは異なり、足袋は、これを履いた際に、横アーチＡ１に近い足の幅広の部分を左右方向から締め付け、さらに足首を締め付けるため、足に対し、良好にフィットすることになる。したがって、靴等の中敷きと足袋に使用する足袋用の中敷きとを比較すると、靴等においては、足の骨格に基づいて、中敷きに対してパッドの位置を高い精度で位置決めしても、靴に対して足がずれてしまうため、アーチを形成することについては、所望の効果を発揮できないおそれがある。これに対して、足袋は、上述のように足にフィットするため、中敷きに対してパッドの位置を高い精度で位置決めすれば、このパッドに対して足がずれることがないので、良好にアーチを形成することができる。このような観点からは、靴用の中敷きと足袋用の中敷きとは別物であるといえる。
【０００９】
本発明は、足の骨格を構成する所定の骨に対して、高い精度で位置決めされたパッドにより、横アーチを良好に形成して足に掛かる負担を軽減するようにした足袋用の中敷き及び足袋を提供することを目的とする。
【課題を解決するための手段】
【００１０】
請求項１の発明に係る発明は、シート状部材を複数枚、積層して構成した足袋用の中敷きに関する。この発明に係る足袋用の中敷きは、足形に合ったベースシートと、前記ベースシートの裏面における踵対応部分に接着されたほぼ半円形の踵シートと、前記ベースシートの表面における、第１中足骨骨頭と第５中足骨骨頭とを結ぶ直線に交差するとともに、少なくとも第１中足骨と第２中足骨と第３中足骨に掛かるように接着されて足骨の横アーチを矯正する中足骨パッドと、前記ベースシートの表面における踵対応部分に接着されたほぼ馬蹄形の踵骨パッドと、前記ベースシートとほぼ同形に形成されるとともに、前記中足骨パッド及び前記踵骨パッドを覆うように前記ベースシートの表面に接着された上敷きシートと、を備える、ことを特徴とする。
【００１１】
請求項２に係る発明は、請求項１に係る足袋用の中敷きにおいて、前記中足骨パッドは、ほぼ円形、又は前後方向に長いほぼ楕円形、又は後端側が細くなるほぼ涙形に形成されている、ことを特徴とする。
【００１２】
請求項３に係る発明は、請求項１又は２に係る足袋用の中敷きにおいて、前記中足骨パッドは、その領域内に前記第２中足骨の少なくとも前半部分を含む、ことを特徴とする。
【００１３】
請求項４に係る発明は、請求項１ないし３のいずれか１項に係る足袋用の中敷きにおいて、前記中足骨パッドは、左右方向の中心を通って前後方向を向く中心線が、前記第２中足骨をその長手方向に貫通する、ことを特徴とする。
【００１４】
請求項５に係る発明は、請求項１ないし４のいずれか１項に係る足袋用の中敷きにおいて、前記中足骨パッドは、左右方向の幅が最も広い最幅広部分において、前記第１中足骨と前記第２中足骨と前記第３中足骨とを含む、ことを特徴とする。
【００１５】
請求項６に係る発明は、請求項１ないし５のいずれか１項に係る足袋用の中敷きにおいて、前記中足骨パッドは、その最先端が第２基節骨に掛かる、ことを特徴とする。
【００１６】
請求項７に係る発明は、請求項１ないし６のいずれか１項に係る足袋用の中敷きにおいて、前記中足骨パッドは、その最後端が中間楔状骨に掛かる、ことを特徴とする。
【００１７】
請求項８に係る発明は、請求項１ないし７のいずれか１項に係る足袋用の中敷きにおいて、前記踵骨パッドは、その内側の先端と外側の先端とを結ぶ直線が、舟状骨及び立方骨に掛かる、ことを特徴とする。
【００１８】
請求項９に係る発明は、請求項１ないし８のいずれか１項に係る足袋用の中敷きにおいて、前記踵骨パッドは、前記内側の先端と外側の先端とを結ぶ直線が、前記踵シートの前端と同じ又は前記踵シートの前端よりも後側に位置する、ことを特徴とする。
【００１９】
請求項１０に係る発明は、請求項１ないし９のいずれか１項に係る足袋用の中敷きにおいて、前記ベースシートと、前記上敷きシートとの間に、前記ベースシートの内側端縁における前後方向のほぼ中央に、前記内側端縁に沿って延びる内側パッドが配置されている、ことを特徴とする。
【００２０】
請求項１１に係る発明は、請求項１ないし９のいずれか１項に係る足袋用の中敷きにおいて、前記ベースシートと、前記上敷きシートとの間に、前記ベースシートの外側端縁における前後方向のほぼ中央に、前記外側端縁に沿って延びる外側パッドが配置されている、ことを特徴とする。
【００２１】
請求項１２に係る発明は、請求項１ないし１１のいずれか１項に係る足袋用の中敷きにおいて、前記ベースシートと、前記中足骨パッド及び前記踵骨パッドとの間に、前記ベースシートと同形の、重量を増加させるための加重シートが積層される、ことを特徴とする。
【００２２】
請求項１３に係る発明は、請求項１ないし１２のいずれか１項に係る足袋用の中敷きにおいて、前記ベースシートは、上側に位置する断熱シートと、前記断熱シートの裏面に接着された緩衝シートとが積層されて構成されている、ことを特徴とする。
【００２３】
請求項１４に係る発明は、請求項１ないし１３のいずれか１項に係る足袋用の中敷きにおいて、前記上敷きシートが、抗菌シートによって構成されている、ことを特徴とする。
【００２４】
請求項１５に係る発明は、足袋本体と、足袋用の中敷きとが一体に形成された足袋に関する。この発明に係る足袋は、前記足袋用の中敷きが、請求項１ないし１４のいずれか１項に係る足袋用の中敷きであり、前記足袋本体は、挿入された足における、中足骨前部近傍を左右方向から締め付けるとともに、足首を締め付ける、ことを特徴とする。
【発明の効果】
【００２５】
本発明によると、踵骨パッドによって、足の踵の位置決めをした上で、足に対して、中足骨パッドの位置を、足の骨格の第１中足骨前部と第５中足骨前部とを結ぶ直線に交差するとともに、少なくとも第１中足骨と第２中足骨と第３中足骨に掛かるように位置決めすることができるので、足の横アーチを適切に矯正することができる。
【発明を実施するための最良の形態】
【００２６】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２７】
図１〜図７を参照して、本発明に係る足袋用の中敷きの一例として、実施形態１に係る足袋用の中敷き（以下単に「中敷き」という。）１について説明する。これらの図のうち、図１は、中敷き１の全体構成を示す斜視図である。なお、同図では、右足用の中敷き１を図示しており、同図中の左側が前側（指側）で、右側が後側（踵側）となっている。図２は、中敷き１における前後方向に沿った縦断面図である。図３は、中敷き１における左側面側から見た分解斜視図である。図４は、中敷き１における幅方向（前後方向に直交する方向）に沿った、中足骨パッド３０を通る縦断面図である。図５は、中敷き１における後端近傍の層構成を説明する図である。図６は、中敷き１を構成する各部材を説明する上面図である。図７は、中敷き１の上面図に、右足の骨格を上から見た図を重ね合わせて、中足骨パッド３０及び踵骨パッド４０と、骨格を構成する骨との位置関係を説明する図である。
【００２８】
中敷き１は、図１，図３，図６に示すように、複数枚のシート状部材を積層するようにして構成されている。すなわち、中敷き１は、足形（右足の足形）に合ったベースシート１０と、ほぼ半円形の踵シート２０と、ほぼ涙形の中足骨パッド３０と、ほぼ馬蹄形の踵骨パッド４０と、上述のベースシート１０とほぼ同形の上敷きシート５０とを備えていて、これらを積層することによって構成されている。
【００２９】
ベースシート１０は、図６に示すように、足形に形成された断熱シート（防寒シート）１１と、この断熱シート１１とほぼ同形の緩衝シート１２とによって構成されている。
【００３０】
断熱シート１１は、指側（前端側）が、親指に対応する親指部分１１ａと、それ以外の４本の指に対応する４指部分１１ｂとに二股に別れていて、踵側（後端側）は、足の踵の形状に倣った踵部分（踵対応部分）１１ｃを有している。断熱シート１１は、冷たい畳や床によって足が冷やされるのを防止するためのシートであり、例えば、厚さが１〜１．５ｍｍ程度のＹＬシート（合成スポンジの一種：へたりが少なく、緩衝シートとしても作用する。）によって形成することができる。
【００３１】
緩衝シート１２は、上述の断熱シート１１とほぼ同形に形成されていて、同様に、親指部分１２ａと４指部分１２ｂと踵部分（踵対応部分）１２ｃとを有している。緩衝シート１２は、歩行時等に床や畳から足に伝わる衝撃を緩和するためのものであり、例えば、厚さが１〜５ｍｍ程度のスポンジシートによって形成することができる。緩衝シート１２は、断熱シート１１の裏面（下面）に、接着材によって接着されている。
【００３２】
踵シート２０は、上述の緩衝シート１２の踵部分１２ｃに倣って形成されており、前端側の直線部分２０ａと、後方に向かって凸状に湾曲する曲線部分２０ｂとを組み合わせてほぼ半円状（放物線状）に形成されている。踵シート２０は、歩行時等の衝撃を吸収するものであり、例えば、厚さが３〜５ｍｍ程度の合成スポンジによって形成することができる。踵シートは、緩衝シート１２の、踵部分１２ｃの裏面（下面）に接着剤によって接着されている。
【００３３】
中足骨パッド３０は、足における前側の横アーチＡ１（図９参照）を形成するためのものであり、本実施形態では、例えば、後端側が細くなる涙形の、厚さ１〜１．５ｍｍ程度のＹＬシートによって形成されている。中足骨パッド３０は、上述の断熱シート１１の表面（上面）における前半部分に接着剤によって貼り付けられている。なお、中足骨パッド３０の位置は、横アーチＡ１を的確に矯正するためには、足の骨格（図７参照）を構成する所定の骨に対して、高い精度で位置決めする必要がある。中足骨パッド３０に詳細な位置については、後に図７を参照して詳述する。なお、中足骨パッド３０の形状としては、上述の涙形の外に、ほぼ円形、前後方向に長い楕円形、ほぼトラック形状（陸上競技状のトラック）などとしてもよい。
【００３４】
踵骨パッド４０は、踵の位置を位置決めするためのものであり、本実施形態では、例えば、ほぼ馬蹄形の厚さ１〜１．５ｍｍ程度のゴムシートによって形成されている。踵骨パッド４０は、前端側が開口された馬蹄形に形成されていて、外側の曲線部４０ａ全体は、内側の曲線部分４０ｂよりも大きく形成されており、上述の断熱シート１１の踵部分１１ｃの表面（上面）に接着剤によって貼り付けられている。なお、踵骨パッド４０の位置は、踵の位置を横アーチＡ１を正確に位置決めするためには、足の骨格（図７参照）を構成する所定の骨に対して、高い精度で位置決めする必要がある。踵骨パッド４０の詳細な位置については、後に図７を参照して詳述する。なお、踵骨パッド４０は、図１に示す馬蹄形の外側の曲線部分の厚さよりも、内側の曲線部分の厚さが薄くなるように、例えば、内側ほど徐々に薄くなるように形成するとよい。このように徐々に薄くすると、踵の形状に倣
うことになるので、踵の位置決めをしやすくなる。
【００３５】
上敷きシート５０は、上述の断熱シート１１とほぼ同形に形成されていて、同様に、親指部分５０ａと４指部分５０ｂと踵部分（踵対応部分）５０ｃとを有している。上敷きシート５０は、例えば、厚さ０．５ｍｍ程度の抗菌シートによって形成されていて、上述の断熱シート１１の表面（上面）に、この断熱シート１１との間に、上述の中足骨パッド３０及び踵骨パッド４０を挟み込むようにして、接着されている。
【００３６】
次に、図７を参照して、上述の中足骨パッド３０及び踵骨パッド４０と、足の骨の位置関係について詳述する。
【００３７】
まず、図７を参照して、右足の骨格について説明する。同図に示すように、右足の骨格は、全部で２６個の骨によって構成されていて、前後方向に３つのブロックに別れている。その内訳は、踵側の７個の足根骨（ａ〜ｄ、ｅ１〜ｅ３）と、これらの前側に位置する５個の中足骨（ｆ１〜ｆ５）と、これらの前側に位置する５組（１４個）の指骨（ｇ１〜ｇ５）となっている。
【００３８】
上述の足根骨は、踵骨ａ、距骨ｂ、舟状骨ｃ、立方骨ｄ、内側楔状骨ｅ１、中間楔状骨ｅ２、外側楔状骨ｅ３とによって構成されている。
【００３９】
中足骨は、親指〜小指のそれぞれに対応する第１中足骨ｆ１、第２中足骨ｆ２、第３中足骨ｆ３、第４中足骨ｆ４、第５中足骨ｆ５によって構成されている。
【００４０】
指骨は、親指〜小指のそれぞれに対応する第１指骨ｇ１、第２指骨ｇ２、第３指骨ｇ３、第４指骨ｇ４、第５指骨ｇ５によって構成されており、さらに、親指に対応する第１指骨ｇ１は、第１中足骨ｆ１につづく第１基節骨とこの先端の第１末節骨とを有し、次の人差指に対応する第２指骨ｇ２は、第２中足骨ｆ２につづく第２基節骨と先端に向かう第２中節骨、第２末節骨とを有し、残り３本の指骨、第３指骨〜第５指骨（ｇ３〜ｇ５）も、それぞれ、基節骨と中節骨と末節骨とを有している。
【００４１】
また、上述の２６個の骨は、上下２層に配置されている。下の１層目には、踵骨ａ、立方骨ｄ、第４，第５中足骨ｆ４，ｆ５、及び第４，第５指骨ｇ４，ｇ５が配置されていて、これらの骨によって外側縦足弓（図９に示す、足の外側（右側）の縦アーチＢ２）を形成している。一方、上の第２層には、残りの各骨、すなわち距骨ｂ、舟状骨ｃ、内側楔状骨ｅ１，中間楔状骨ｅ２，外側楔状骨ｅ３、第１〜第３中足骨ｆ１〜ｆ３、及び第１〜第３指骨ｇ１〜ｇ３が配置されていて、これらの骨によって、内側縦足弓（図９に示す、足の内側（左側）の縦アーチＢ１）を形成している。このように、足の骨格を構成する複数の骨が、上下２層に配置されていて、図９に示す横アーチＡ１，Ａ２を形成している。
【００４２】
ここで、図７（ｂ）に、５個（５本）の中足骨ｆ１〜ｆ５の前部における、点線に沿った断面を示し、図７（ｃ）に、同じく中足骨ｆ１〜ｆ５の後部における、点線に沿った断面を示し、図７（ｄ）に３個の楔状骨ｅ１〜ｅ３及び立方骨ｄにおける、点線に沿った断面を示す。（ｃ），（ｄ）に示すように、５個の中足骨ｆ１〜ｆ５の後部並びに３個の楔状骨ｅ１〜ｅ３及び立方骨ｄは、上方に向かってなだらかな凸状の横アーチＡ２（図９参照）がある程度形成されているが、（ａ）に示すように、特に、第１中足骨ｆ１，第２中足骨ｆ２が落ち込んで、５個の中足骨ｆ１〜ｆ５の前部は、本来、正常であれば形成されているはずの横アーチＡ１が形成されていない。その原因は、加齢によって骨と骨とを繋ぐ骨間靱帯（不図示）が弱くなって延びてしまったり、外反母趾によって中足骨ｆ２，ｆ３が落ち込むことが考えられる。
【００４３】
本発明においては、踵骨パッド４０及び中足骨パッド３０を上述のような適切な形状に形成し、さらに以下に説明するような適切な位置に配置することで、主に横アーチＡ１を形成（矯正）するようにしている。
【００４４】
まず、踵骨パッド４０は、図７に示すように、踵骨ａの後端側、並びに後端側における左端側及び右端側に掛かるように配置されている。踵骨パッド４０は、これにより、踵骨ａの前後方向及び左右方向の位置決め、ひいては踵の前後方向及び左右方向の位置決めを適切に行うことができる。
【００４５】
また、図７に示すように、踵骨パッド４０の内側の先端と外側の先端とを結ぶ直線が、踵シート２０の前端と同じか、あるいはこれよりも後側に位置するようにすれば、つまり、踵骨パッド４０が踵シート２０の領域内に位置するようにすれば、踵シート２０が踵骨パッド４０の台座として作用するので、踵骨パッド４０を安定させることができる。
【００４６】
なお、踵骨パッド４０は、図７に示す状態から、さらに内側の先端と外側の先端とを前方に延長して、これら内側の先端と外側の先端とを結ぶ直線が、舟状骨及び立方骨ｄに掛かるようにすることもできる。この場合には、踵骨パッド４０によって、舟状骨ｃ及び立方骨ｄの左右方向の位置決めをして、足におけるこれらの骨に対応する部分を左右方向から位置決めすることができる。こうして、踵骨パッド４０によって、踵の位置を高い精度で位置決めすることにより、次に説明する中足骨パッド３０の位置を、所定の骨に対して高い精度で位置決めして、横アーチＡ１を好適に形成することができるようになる。すなわち、後述する中足骨パッド３０を高い精度で位置決めしようとする場合には、まず、中敷き１に対して、足（足の骨格）が良好に位置決めされることが前提となる。この足（足の骨格）の位置を良好に位置決めするのが、上述の踵骨パッド４０である。例えば、中敷き１全体に対して、いくら中足骨パッド３０を高い精度で位置決めしても、中敷き１に対して足の位置が適切に位置決めされなければ、足の骨格に対して、中足骨パッド３０を好適に位置決めすることができない。そこで、本発明においては、上述の踵骨パッド４０と、次に説明する中足骨パッド３０とが相俟って、横アーチＡ１を好適に形成するようにしている。
【００４７】
つづいて、中足骨パッド３０について説明する。
【００４８】
中足骨パッド３０は、第１中足骨ｆ１の前部と第５中足骨ｆ５の前部とを結ぶ直線（図７における３本の点線のうちの、最上位に位置する点線）に交差するとともに、少なくとも第１中足骨ｆ１と第２中足骨ｆ２と第３中足骨ｆ３に掛かるように配置する。これにより、横アーチＡ１を好適に形成することができる。
また、中足骨パッド３０は、その領域内に、第２中足骨の少なくとも前半部分を含むようにすると、さらに好適に横アーチＡ１を形成することができる。
【００４９】
また、中足骨パッド３０は、左右方向の中心を通って前後方向を向く中心線が、第２中足骨をその長手方向に貫通する位置に配置した場合には、第２中足骨ｆ２を持ち上げて、好適に横アーチＡ１を形成することができる。
【００５０】
また、中足骨パッド３０は、左右方向の幅が最も広い最幅広部分において、第１中足骨と第２中足骨と第３中足骨とを含むように配置したり、その最先端が第２基節骨に掛かるようにしたりすることにより、好適に横アーチＡ１を形成することができる。
【００５１】
さらに、中足骨パッド３０は、その最後端が中間楔状骨ｅ２に掛かるようにしたりすれば、後側の横アーチ２（図９参照）を形成する助けにもなる。
【００５２】
以上の実施形態においては、中足骨パッド３０及び踵骨パッド４０を、断熱シート１１と上敷きシート５０との間に配置する例を説明したが、本発明はこれに限定されず、例えば、断熱シート１１と緩衝シート１２との間に配置するようにしてもよい。
【００５３】
また、中敷き１全体の重量を増加させるために、例えば、ベースシート１０とほぼ同形の加重シート（不図示）をベースシート１０と、中足骨パッド３０及び踵骨パッド４０との間に積層するようにしてもよい。これにより、足を鍛えることができる。なお、加重シートは、断熱シート１１と緩衝シート１２との間に配置するようにしてもよい。また、加重シートを、接着することなしに、最下層（一番下）に配置する場合には、取り付け取り外しが容易となる。
＜実施形態２＞
【００５４】
上述の実施形態１の中敷き１に対して、図７に二点鎖線で示すように、内側パッド６０や外側パッド７０を取り付ける（配置する）ようにしてもよい。
【００５５】
内側パッド６０は、ベースシート１０と上敷きシート５０との間に、ベースシート１０の内側端縁における前後方向のほぼ中央に、内側端縁に沿って前後方向に延びるように配置する。内側パッド６０は、内側端縁に近い側が土手のように高く形成され、中敷き１の中央に向かうに従って低くなるように形成されていて、例えば、外反母趾、扁平足等の矯正に役立つ。
【００５６】
外側パッド７０は、ベースシート１０と上敷きシート５０との間に、ベースシート１０の外側端縁における前後方向のほぼ中央に、外側端縁に沿って前後方向に延びるように配置する。外側パッド６０は、外側端縁に近い側が土手のように高く形成され、中敷き１の中央に向かうに従って低くなるように形成されていて、例えば、Ｏ脚、内外足等の矯正に役立つ。
＜実施形態３＞
【００５７】
図８に、上述の中敷き１が一体的に構成された足袋を示す。
【００５８】
足袋２は、足袋本体２と、中敷き１（不図示）とを備えていて、さらに足袋本体２は、親指に対応する親指対応部２ａと、残りの４本の指に対応する４指対応部２ｂと、足首近傍の重ね部２ｆと、紐状の係止部及び留め金からなる留め具２ｅを備えている。
【００５９】
足袋本体２に足を入れて、留め金を係止部に留めると、足袋本体２は、親指対応部２ａ及び４指対応部２ｂよりも少し後方に位置する、中足骨前部近傍に対応するアーチ対応部２ｃにおいて、足を左右方向から締め付け、さらに、足首対応部２ｄによって足首を締め付けて、固定する。したがって、足袋の場合は、一般的な靴と比較して、足によくフィットする。つまり、足袋に対して、ひいては中敷き１に対して、足は高い精度で位置決めされる。このため、中敷き１の中足骨パッド３０（図１参照）及び踵骨パッド４０は、足に対して高い精度で位置決めされ、さらに、横アーチＡ１近傍がアーチ対応部２ｃによって締め付けられることを相俟って、良好な横アーチＡ１を形成することができる。
【図面の簡単な説明】
【００６０】
【図１】中敷き１の全体構成を示す斜視図である。
【図２】中敷き１における前後方向に沿った縦断面図である。
【図３】中敷き１における左側面側から見た分解斜視図である。
【図４】中敷き１における幅方向（前後方向に直交する方向）に沿った、中足骨パッド３０を通る縦断面図である。
【図５】中敷き１における後端近傍の層構成を説明する図である。
【図６】中敷き１を構成する各部材を説明する上面図である。
【図７】中敷き１の上面図に、右足の骨格を上から見た図を重ね合わせて、中足骨パッド３０及び踵骨パッド４０と、骨格を構成する骨との位置関係を説明する図である。
【図８】中敷き１を備えた足袋２を説明する斜視図である。
【図９】横アーチＡ１，Ａ２、及び縦アーチＢ１，Ｂ２を説明する図である。
【符号の説明】
【００６１】
１          中敷き（足袋用の中敷き）
２          足袋本体
１０        ベースシート
１１        断熱シート（防寒シート）
１２        緩衝シート
２０        踵シート
３０        中足骨パッド
４０        踵骨パッド
５０        上敷きシート
６０        内側パッド
７０        外側パッド
Ａ１，Ａ２  横アーチ
Ｂ１，Ｂ２  縦アーチ
ｃ          舟状骨
ｄ          立方骨
ｅ２        中間楔状骨
ｆ１        第１中足骨
ｆ２        第２中足骨
ｆ３        第３中足骨
ｆ４        第４中足骨
ｆ５        第５中足骨
ｇ２        第２指骨
【図１】
2010240127.tif 000003
【図２】
2010240127.tif 000004
【図３】
2010240127.tif 000005
【図４】
2010240127.tif 000006
【図５】
2010240127.tif 000007
【図６】
2010240127.tif 000008
【図７】
2010240127.tif 000009
【図８】
2010240127.tif 000010
【図９】
2010240127.tif 000011